(57)【特許請求の範囲】
【請求項１】
複数のノズルが配置される溶液噴射用のヘッドの下面を封止可能なキャップ部で塞ぎ、吸引手段によって前記キャップ部の内部を負圧にして前記ノズルから溶液を吸引する際に、前記キャップ部の内部が所定の圧力まで減圧されたか否かを検出するためのヘッドメンテナンス装置における圧力センサであって、
前記キャップ部を大気に開放する大気流路の一部に備えられた分岐部と、該分岐部に基端が連通され大気流路の内圧と大気圧の差圧に応じて先端が移動するベローズと、該ベローズの先端の位置の変化を検出する位置検出部と、該位置検出部が発する信号を受信して吸引不良を判定する判定部とが設けられ、
前記分岐部には、ヘッドメンテナンス時に前記大気流路の内部を逆流する前記溶液が前記分岐部に到達した際に、前記溶液が前記分岐部を通じて前記ベローズ側へ流入するのを阻止する隔壁が設けられていることを特徴とする圧力センサ。
【請求項２】
前記位置検出部が、前記ベローズの先端に基端が接続されかつ光路を有する移動子と、一対の発光部及び受光部を有し、前記光路に光をあてて前記移動子の移動を検出するフォトセンサとを備えることを特徴とする請求項１に記載の圧力センサ。
【請求項３】
前記分岐部は、前記キャップ部よりも上方に配置されていることを特徴とする請求項１または請求項２に記載の圧力センサ。
【請求項４】
前記ベローズには、外方に突出する折曲部の頂部に補強部が形成されていることを特徴とする請求項１〜３のいずれか１項に記載の圧力センサ。
【請求項５】
請求項１〜４のいずれか１項に記載の圧力センサと、前記溶液を吸引するポンプと、該ポンプを駆動するモーターと、該モーターを制御するモーター制御部と、前記大気流路に設けられた大気弁を駆動するソレノイドと、該ソレノイドを制御するソレノイド制御部とが設けられていることを特徴とするヘッドメンテナンス装置。
【請求項６】
請求項５に記載のヘッドメンテナンス装置と、前記ヘッドに前記溶液を供給する溶液供給手段と、前記ヘッドの前記ノズルに対向する位置を通過するように被記録媒体を搬送する被記録媒体搬送手段とが搭載されていることを特徴とするインクジェット記録装置。
【請求項７】
請求項５に記載のヘッドメンテナンス装置を用いたヘッドメンテナンス方法であって、
前記ヘッドの下面を前記キャップ部によって封止する工程と、前記キャップ部の内部を負圧にして前記ノズルから溶液を吸引する工程と、前記大気流路の内圧が所定の圧力まで減圧されたか否かに基づいて吸引不良を判定する工程と、前記キャップ部の内部に大気を導入する工程とが設けられていることを特徴とするヘッドメンテナンス方法。
【発明の詳細な説明】
【技術分野】
【０００１】
本発明は、圧力センサ、ヘッドメンテナンス装置、インクジェット記録装置及びメンテナンス方法に関する。
【背景技術】
【０００２】
一般的に、インクジェット記録装置は、インクタンクから供給されるインク溶液を複数のノズルが設けられたヘッドに送液し、ノズルにおいて独立に溶液の噴射が制御され、紙面方向に断続的に溶液の噴射が行われるようになっている。溶液の噴射方法は、たとえば電流によって変形するピエゾ素子をノズル内部に配置して、ピエゾ素子を変形させて溶液を押し出す機構や、あるいは電流によって加熱されるサーマルヘッドをノズル内部に配置して、ノズル内部に気泡を生じさせて溶液を押し出す機構が知られている。
【０００３】
また、良好な印刷を行うためには、ノズル内部のインクのメニスカスやノズルから噴射される溶液の量を適切に制御し、維持する必要がある。このため、インクジェット記録装置では、インクジェットヘッドから増粘あるいは固化した溶液を除去するヘッドメンテナンスが行われている。これは、インクジェットヘッドのノズル面を、吸引手段を有するキャップ部で封止して、ポンプによってノズルからインク溶液を吸引する方法により行われる。このとき、ノズル面とキャップ部の間にはゴムリング等の封止部材を介装することで、空気の混入による吸引不良を回避している。しかし、ノズル面に付着した粉塵や、封止部材に生じた亀裂等によってノズル面と封止部材の密着が得られない場合には、キャップ部から空気が混入し、溶液の吸引が正常に行われないままに吸引処理が終了し、吸引処理を行ったにも関わらず、印字不良や印字不能が生じる問題があった。
【０００４】
ここで、吸引処理時のヘッドと封止部材の密着を検知するものとして、特許文献１には、圧力検知機構が設けられた記録装置が提案されている。この特許文献１に記載の記録装置では、溶液吸引経路の一部に分岐部が設けられ、その先には圧力センサが備えられている。正常な溶液吸引時には、キャップから溶液吸引機構までの流路内部が所定値まで減圧されるが、空気の混入があると、流路内部は所定値まで減圧されない。この圧力センサによれば、キャップ内部の圧力を異常検知部へ通知することができ、異常検知部において、正常稼動時の規定の圧力と比較することで圧力異常を検知することができる。このため、溶液吸引不良を検知することができる。
【特許文献１】特開昭６１−９８５４３号公報
【発明の開示】
【発明が解決しようとする課題】
【０００５】
しかしながら、特許文献１に記載の記録装置では、圧力センサは溶液流路から分岐する管路の先に設けられていた。溶液流路は、ノズルから吸引された溶液の流路であり、増粘あるいは固化した溶液がこの流路を流れる。この時、溶液流路から分岐する管路の先に設けられた圧力センサにも増粘あるいは固化した溶液が流入する。これらの溶液が圧力センサの圧力検出部に堆積して固化すると、圧力検出部には溶液流路の内部の圧力変化が伝わらなくなる。その結果、センサの感度が低下し、キャップ部の内部が所定値まで減圧されているにもかかわらず圧力センサが検知できないという誤動作の原因となっていた。また、圧力検出部には圧電素子が用いられることが多いが、圧電素子が高価であるため、溶液経路ごとに圧電素子を配設すると装置コストが高くなる。
【０００６】
本発明は、上述した事情に鑑みてなされたものであって、増粘あるいは固化した溶液による誤動作を生じにくく、コストダウンが可能になる圧力センサ、ヘッドメンテナンス装置、インクジェット記録装置及びインクジェット記録方法を提供するものである。
【課題を解決するための手段】
【０００７】
上記課題を解決するために、この発明は以下の手段を提案している。
【０００８】
本発明の圧力センサは、複数のノズルが配置される溶液噴射用のヘッドの下面を封止可能なキャップ部で塞ぎ、吸引手段によって前記キャップ部の内部を負圧にして前記ノズルから溶液を吸引する際に、前記キャップ部の内部が所定の圧力まで減圧されたか否かを検出するためのヘッドメンテナンス装置における圧力センサであって、前記キャップ部を大気に開放する大気流路の一部に備えられた分岐部と、該分岐部に基端が連通され大気流路の内圧と大気圧の差圧に応じて先端が移動するベローズと、該ベローズの先端の位置の変化を検出する位置検出部と、該位置検出部が発する信号を受信して吸引不良を判定する判定部とが設けられ、前記分岐部には、ヘッドメンテナンス時に前記大気流路の内部を逆流する前記溶液が前記分岐部に到達した際に、前記溶液が前記分岐部を通じて前記ベローズ側へ流入するのを阻止する隔壁が設けられていることを特徴としている。
【０００９】
この発明によれば、前記ノズルから溶液を吸引する際、前記キャップ部の内部が減圧される。それに伴って前記キャップ部と連通している前記大気流路と前記ベローズの内部も減圧される。前記ベローズは減圧によって変形し、先端が移動する。すると、前記位置検出部によってその位置変化が検出され、前記判定部によって所定値まで減圧されたか否かが判定される。また、ヘッドメンテナンス時には前記溶液が前記大気流路弁を逆流することがあるが、前記分岐部に設けられた前記隔壁によってそれ以降への流入が阻止されている。このため、前記ベローズ内部には大気のみが出入りし、ベローズ内部での溶液の固着は発生し得ない。
【００１０】
本発明の圧力センサは、前記位置検出部が、前記ベローズの先端に基端が接続されかつ先端部に光路を有する移動子と、一対の発光部及び受光部を有し前記光路に光をあてて前記移動子の移動を検出するフォトセンサとを備えることを特徴としている。
【００１１】
この発明によれば、前記大気流路の内圧が変動したとき、前記ベローズの先端に設けられた移動子が移動する。このとき、前記移動子に設けられた前記光路は前記発光部に対して相対移動し、前記発光部からの光が前記移動子によって遮られる。そのため、前記発光部からの光は前記受光部には到達しない。これにより前記フォトセンサによって前記移動子の移動が検知される。また、前記大気流路の内圧が大気圧に戻ったときには、前記ベローズの弾性復元力によって前記移動子は規定位置へ復帰し、前記発光部からの光は前記光路を通過して前記受光部へ到達するようになり、前記フォトセンサによって前記移動子の復帰が検知される。
【００１４】
本発明の圧力センサは、前記分岐部が、前記キャップ部よりも上方に配置されていることを特徴としている。
【００１５】
この発明によれば、前記キャップ部を用いて前記ノズル列からの前記溶液の吸引を行うとき前記キャップ内部に貯留する溶液が大気流路を逆流した場合に、その液面の上限は前記キャップと同じ高さであり、前記分岐部が前記キャップよりも上方に設けられていることで、前記液面は前記分岐部に到達しない。
【００１６】
本発明の圧力センサは、前記ベローズには、外方に突出する折曲部の頂部に補強部が形成されていることを特徴としている。
【００１７】
この発明によれば、前記ベローズの折曲部の頂部は他の部分よりも強靭であり、前記ベローズの内部が減圧されたときに前記頂部から前記ベローズの軸心方向にかかる力による折曲部の変形が抑えられる。そのため、ベローズの変形は蛇腹の斜面部に対して起こり、その結果ベローズの軸心方向への収縮が効率的に起こる。
【００１８】
本発明のヘッドメンテナンス装置は、請求項１〜４のいずれか１項に記載の圧力センサと、前記溶液を吸引するポンプと、該ポンプを駆動するモーターと、該モーターを制御するモーター制御部と、前記大気流路に設けられた大気弁を駆動するソレノイドと、該ソレノイドを制御するソレノイド制御部とが設けられていることを特徴としている。
【００１９】
この発明によれば、前記ヘッドメンテナンス装置は前記大気流路中の前記分岐部に設けられた請求項１〜４のいずれか１項に記載の前記圧力センサを用いて溶液吸引不良を判定し、前記第一制御部においてメンテナンス動作の続行の可否が判断され、前記モーターと前記ソレノイドの駆動が夫々の制御部によって制御される。
【００２０】
本発明のインクジェット記録装置は、請求項５に記載のヘッドメンテナンス装置と、前記ヘッドに溶液を供給する溶液供給手段と、前記ヘッドのノズルに対向する位置を通過するように被記録媒体を搬送する被記録媒体搬送手段とが搭載されていることを特徴としている。
【００２１】
この発明によれば、前記インクジェット記録装置は、請求項５に記載のヘッドメンテナンス装置を用いてヘッドがメンテナンスされる。このとき、前記圧力センサによってメンテナンス中の前記溶液の吸引動作による前記キャップ部の内部の減圧状態が検知される。
【００２２】
本発明のヘッドメンテナンス方法は、請求項５に記載のヘッドメンテナンス装置を用いたヘッドメンテナンス方法であって、前記ヘッドの下面を前記キャップ部によって封止する工程と、前記キャップ部の内部を負圧にして前記ノズルから前記溶液を吸引する工程と、前記大気流路の内圧が所定の圧力まで減圧されたか否かに基づいて吸引不良を判定する工程と、前記キャップ部の内部に大気を導入する工程とが設けられていることを特徴としている。
【００２３】
この発明によれば、前記圧力センサによって前記キャップ部の内部の減圧状況が検出され、確実な減圧がなされていない場合には吸引不良を通知することで、ユーザーによる手動あるいは自動での不良原因の除去と再吸引を行い、確実な吸引動作を実現する。
【発明の効果】
【００２４】
本発明によれば、前記圧力センサの主要素としてベローズを採用することによって安価に製造することが可能になり、さらに、溶液流路に代えて大気流路に分岐部を設け、前記圧力センサによって大気流路の分岐部の内部の圧力を検知するようにすることで、圧力センサへの溶液の流入を阻止し、増粘あるいは固化した溶液を原因とするセンサ精度の低下を回避することができる。
【発明を実施するための最良の形態】
【００２５】
以下、本発明の一実施形態に係るインクジェット記録装置について図１から図３を参照して説明する。図１は本発明の実施形態のインクジェット記録装置の一部を示す斜視図である。また、図２は本実施形態の圧力センサを示す縦断面図である。また、図３は本実施形態の圧力センサを示す斜視図である。
【００２６】
まず、インクジェット記録装置１００の全体の構成について説明する。図１に示すように、インクジェット記録装置１００は、溶液を、用紙Ｐへ噴射する溶液噴射機構１０１と、溶液噴射機構１０１を図中Ｙ方向に移動させる搬送機構１０２と、被記録媒体を溶液噴射機構１０１の下面で図中Ｘ方向に搬送する被記録媒体搬送手段１０３と、溶液噴射機構１０１のメンテナンスを行うためのヘッドメンテナンス装置１０４とを備える。
【００２７】
搬送機構１０２にはキャリッジモーター１０５が設けられている。さらに、キャリッジモーター１０５には駆動プーリー１０６が連結されている。駆動プーリー１０６は、筐体の後壁１０７右側の内面に支持されている。また、インクジェット記録装置１００の後壁１０７の左側の内面には、駆動プーリー１０６と対をなす従動プーリー１０８が回転自在に支持されている。
【００２８】
さらに、駆動プーリー１０６と従動プーリー１０８にはタイミングベルト１０９が巻回されている。タイミングベルト１０９には、キャリッジ１１０が固定支持されている。また、キャリッジには、インクタンク１１１と、溶液を噴射するヘッド１１２が設けられている。
【００２９】
一方、インクジェット記録装置１００には、ガイド軸１１３が筐体の左右方向に架設されている。さらにガイド軸１１３にはキャリッジ１１０が、ガイド軸１１３の軸心方向に案内されるように挿通支持されている。さらに、ガイド軸１１３の端部にはメンテナンス位置１１４とされている。メンテナンス位置１１４の下方にはインクジェットヘッドのヘッドメンテナンス装置１０４が配設されている。キャリッジ１１０がメンテナンス位置１１４にあるとき、キャリッジ１１０の鉛直下方のヘッドメンテナンス装置１０４はヘッド１１２と対向している。
【００３０】
次に、本実施形態に係るインクジェットヘッドのヘッドメンテナンス装置１０４の詳細を、図２を用いて説明する。図２に示すように、ヘッドメンテナンス装置１０４には、ヘッド１１２のノズル面２０１に当接可能な槽状のキャップ部２０２が設けられている。キャップ部２０２の上面にはノズル面に密着するノズル密着部２０３が形成されている。ノズル密着部２０３はノズル列２０４を囲繞可能に配設されている。キャップ部２０２は図示していないリンクによって上下に移動し、インクジェットヘッド１１２のノズル面２０１にノズル密着部２０３が密着するようになっている。
【００３１】
キャップ部２０２には大気導入孔２０５が設けられている。大気導入孔２０５の外端には大気流路として機能するエアチューブ２０６の一端が接続されている。また、エアチューブ２０６の他端には分岐部２０７が、キャップ部２０２より上方に位置するように接続されている。分岐部２０７は、大気流路をソレノイドバルブ２０８が存する流路と圧力センサ２０９が存する流路へと分岐している。さらに分岐部２０７には、ヘッドメンテナンス時にエアチューブ２０６の内部を逆流する溶液が分岐部２０７に到達した際に、溶液が分岐部２０７を通じて圧力センサ２０９側へ流入するのを阻止するための隔壁２０７ａが形成されている。
【００３２】
ソレノイドバルブ２０８には、弁座２１０と、弁体２１１と、ソレノイド２１２とが設けられており、弁体２１１にはソレノイドが連結されている。弁体２１１はＺ方向へ往復移動可能で、弁座２１０に当接可能になっている。ソレノイド２１２にはソレノイド制御部２１４が接続されている。
【００３３】
また、キャップ部２０２には溶液吸引孔２１５が形成されている。溶液吸引孔２１５の外端にはノズルから吸引した溶液の流路となるインクチューブ２１６の一端が接続され、インクチューブ２１６の他端はポンプ２１７を介して廃液タンク２１８に接続されている。ポンプ２１７にはポンプを駆動するモーター２１９が連結されている。モーター２１９にはモーター２１９の駆動を制御するモーター制御部２２０が接続されている。
【００３４】
次に、圧力センサ２０９の詳細を、図２及び図３を参照して説明する。圧力センサ２０９はベローズ３０１を備える。ベローズ３０１の基端部３０２には分岐部２０７の一端が接続されている。基端部３０２は分岐部に固定された固定端で、先端部３０３はベローズ３０１の収縮に応じて移動する自由端となっている。また、ベローズ３０１の先端部３０３は閉止されている。ベローズ３０１の蛇腹部３０４の折曲部３０５の頂部３０６には、斜面部３０７より肉厚な補強部３０８が形成されている。さらに、ベローズ３０１の先端には、移動子３０９の基端部３２１が固設されている。
【００３５】
図３に示すように、移動子３０９にはベローズ３０１の軸心の方向に沿って長孔３１０が形成されており、長孔３１０にはねじれ防止突起３１１の先端３１２が挿通されている。ねじれ防止突起３１１の基端３１３は固定部３１４に固定されている。また、固定部３１４の基端３１３より下方には、発光部３１５と受光部３１６から成るフォトセンサ３１７が配設されている。発光部３１５と受光部３１６の間には移動子３０９が介挿され、移動子３０９には、光路３１８が形成されている。光路３１８には、フォトセンサ３１７によって生じる光軸３１９が貫通するようになっており、移動子３０９がフォトセンサ３１７に対して相対移動すると光軸３１９は光路３１８の周辺部３２０によって遮断される。
【００３６】
移動子３０９の先端部３２２にはバネ孔３２３が形成されている。バネ孔３２３にはバネ３２４の一端が係止されている。バネ３２４の他端は図示しない係止部に係止されている。
【００３７】
以上に説明する構成の、本実施形態のインクジェット記録装置の全体の作用について、図１から図３を参照しながら説明を行う。インクジェット記録装置１００による記録工程では、まず、インクジェット記録装置１００に用紙Ｐが供給される。すると、キャリッジ１１０は図中Ｙ方向への往復運動を開始し、このときヘッド１１２によって、インクタンク１１１内の溶液が用紙Ｐへと噴射される。キャリッジ１１０の往復動作が完了すると、用紙Ｐは次行の印刷のために図中Ｘ方向へ搬送され、同様にヘッド１１２によって溶液が噴射される工程が繰り返される。
【００３８】
記録工程においては、溶液の増粘あるいは固化によってノズルが部分閉塞あるいは完全閉塞された場合、溶液の噴射不良となり、当該ノズルが担当する領域の情報が用紙Ｐ上で欠落する。このような噴射不良は、インクジェット記録装置１００に備えられた図示しないノズルセンサあるいは使用者の判断によって認識され、自動あるいは手動でヘッドメンテナンス工程が開始される。
【００３９】
ヘッドメンテナンス工程が開始されると、キャリッジモーター１０５が駆動し、駆動プーリー１０６を回転させる。この回転力によって従動プーリー１０８とタイミングベルト１０９が駆動される、タイミングベルト１０９にはキャリッジが懸架支持されており、タイミングベルト１０９の動作によってキャリッジ１１０はメンテナンス位置１１４まで搬送される。キャリッジ１１０の位置は、図示しないキャリッジセンサによってリアルタイムに測定されており、キャリッジ１１０がメンテナンス位置１１４まで到達すると、キャリッジセンサが発する信号によってキャリッジモーター１０５が停止し、キャリッジ１１０はメンテナンス位置１１４で停止する。このときヘッド１１２はヘッドメンテナンス装置１０４の鉛直上方に位置している。
【００４０】
次に、ヘッドメンテナンス装置１０４に備えられたキャップ部２０２は、図示しない昇降装置によって上昇し、ノズル密着部２０３を介してヘッド１１２のノズル面２０１に当接し、ノズル列２０４を囲繞する。これで、ノズル列２０４はキャップ部２０２によって封止される。引き続いて、ソレノイド制御部２１４によって、ソレノイド２１２が駆動し、弁体２１１が弁座２１０に当接し、その大気流路を閉止する。さらに、モーター制御部２２０によってモーター２１９が駆動される。すると、エアチューブ２０６からキャップ部２０２を介してインクチューブ２１６まで連通する一連の流路の内部には廃液タンク２１８方向への吸引力が生じる。
【００４１】
以下、本実施形態の圧力センサ２０９の作用について説明する。
【００４２】
ノズル面２０１とノズル密着部２０３との密着が完全であれば、前記一連の流路内は負圧になり、ノズル列２０４から溶液が吸引される。さらにこの吸引力は一連の流路の内壁全てに同様に生じるので、一連の流路の内部が負圧になるのと同様に、エアチューブ２０６に接続された分岐部２０７を介してベローズ３０１の内部の空間も負圧になる。
【００４３】
ベローズ３０１は、その内部から分岐部２０７側への吸引力を受ける。ベローズ３０１の内部は、先端部３０３が閉止されているため、ベローズ３０１の内壁にはベローズ３０１を収縮させる力が生じる。ベローズ３０１には補強部３０８が形成されているため、その周方向の収縮が抑制されている。したがって、ベローズ３０１はその軸心方向に収縮する。
【００４４】
ベローズ３０１が軸心方向に収縮すると、固定端である基端部３０２に対して自由端である先端部３０３が基端部３０２側へ接近する。これに伴い、ベローズ３０１の先端に固設された移動子３０９も基端部３０２側へ移動する。なお、移動子３０９に形成された長孔３１０に挿入されたねじれ防止突起３１１によって、移動子３０９の移動は往復運動に制限される。
【００４５】
ここで、移動子３０９に形成された光路３１８には、ベローズ３０１の収縮が起こっていないときにはフォトセンサ３１７の発光部３１５によって生じる光軸３１９が貫通しているが、移動子３０９の移動によって光路３１８も移動し、それに伴い、光路３１８と光軸３１９にずれが生じる。この状態では光軸３１９は移動子３０９の周辺部に照射されており、受光部３１６へは到達しない。すると、受光部３１６から検出回路３２５へ光路遮断の信号が送信される。
【００４６】
光路遮断の信号を受信した検出回路３２５によって、キャップ内部が規定の圧力まで減圧されたことが検知され、溶液吸引動作が正常に実行されているとして次工程である大気導入工程へ進められる。
【００４７】
大気導入工程では、ソレノイド制御部２１４によってソレノイド２１２が駆動され、弁体２１１と弁座２１０の当接が解除され、これによって弁座２１０が開放される。すると、ソレノイドバルブ２０８から、分岐部２０７を介してエアチューブ２０６方向へ大気が導入される。この工程でもモーター２１９は駆動されているため、エアチューブ２０６とキャップ部２０２とインクチューブ２１６による一連の流路では廃液タンク２１８方向への吸引が継続されている。
【００４８】
しかし、弁座２１０から継続して大気が流入しているため、前記一連の流路内の内圧は大気圧と同一である。このとき、圧力センサ２０９では、ベローズ３０１の内部が負圧から大気圧へ戻ったことで、ベローズ３０１の軸心方向への収縮力がなくなる。次いで、ベローズ３０１の弾性復元力及びバネ３２４の付勢力によってベローズ３０１は元の形状に戻る。すると、移動子３０９に設けられた光路３１８が光軸３１９の位置へ復帰し、よって光軸３１９が受光部３１６へ達する。その後、大気導入工程が終了し、モーター制御部２２０によってモーター２１９が停止され、続いて昇降装置によってキャップ部２０２が降下し、キャップ部２０２のノズル列２０４の封止が解除される。キャップ部２０２の降下が終了した後、ヘッドメンテナンスの次工程または記録工程の再開、あるいは待機工程のいずれかの工程に引き継がれる。
【００４９】
一方、溶液のノズル列２０４からの吸引不良は、エアチューブ２０６とキャップ部２０２とインクチューブ２１６からなる一連の流路の少なくとも一部から大気が流路内へ導入されること、すなわちノズル列２０４以外の部位からの物質の流入によりノズル列２０４から溶液を吸引するための圧力が不十分になることにより発生する。この現象は、エアチューブ２０６やインクチューブ２１６、あるいはノズル密着部２０３等に亀裂が生じることによって発生するが、また、ヘッド１１２に付着した粉塵あるいはノズル列２０４の周囲に固着した溶液によってノズル密着部２０３とノズル面２０１に間隙が生じている場合にも発生する。
【００５０】
吸引不良が生じている時、ソレノイドバルブ２０８の閉止及びモーター制御部２２０によるモーター２１９の駆動はなされているものの、亀裂あるいは前記間隙から継続的に大気が流入しているため、前記一連の流路の内部の圧力は正常時における規定圧力まで減圧されない。このとき、ベローズ３０１の内部においても前記規定圧力までは減圧されていないため、ベローズ３０１を収縮させる力が弱く、ベローズ３０１のその軸心方向への収縮量は正常時よりも少ない。このため移動子３０９の移動量も少なく、光路３１８をずらして光軸３１９を遮断するに至らない。そのため、受光部３１６からは光軸遮断の信号が送信されることはない。
【００５１】
モーター制御部２２０においてモーター２１９を駆動しているにも関わらず受光部３１６からの光軸遮断の信号が発信されないため、検出回路３２５はキャップ内部が減圧されていないことを検知する。すると、検出回路３２５によって、吸引不良の発生を伝える信号が、図示しない統御部へと発信される。統御部では吸引工程から、再吸引や吸引中止等のエラー処理工程へと引き継がれ、エラー処理が完了した後に通常の工程に復帰する。
【００５２】
以上説明したように、本実施形態に係る圧力センサ２０９によれば、圧力センサ２０９の主要素にベローズ３０１を採用したことで安価に製造することが可能になり、さらに、エアチューブ２０６に分岐部２０７を接続し、さらに分岐部２０７に隔壁２０７ａを形成し、その先に圧力センサ２０９を接続することで、ベローズ３０１の内部への溶液の流入を阻止し、増粘あるいは固化した溶液を原因とするセンサ精度の低下を回避することができるようになっている。
【００５３】
以上、本発明の実施形態について図面を参照して詳述したが、具体的な構成はこの実施形態に限られるものではなく、本発明の要旨を逸脱しない範囲の設計変更等も含まれる。
【００５４】
たとえば、本実施形態では、圧力センサ２０９は、ベローズ３０１の基端部３０２から移動子３０９の先端部３０３までが、直線上に配設されている構成を採用しているが、これに限らず、ベローズ３０１の弾性限度の範囲内で屈曲して配設されている構成としてもよい。
【００５５】
また、本実施形態において、付勢部材としてバネ３２４を採用したが、これに限らず、ベローズ３０１の弾性復元力、あるいはベローズの自重によってもよい。
【００５６】
また、本実施形態では分岐部２０７が弁座２１０と一体形成された構成を採用したが、これに限らず、分岐部から大気弁へ接続される管路が介装される構成としてもよい。
【００５７】
また、本実施形態では、移動子３０９は直方体の部材に長孔３１０と光路３１８が形成された構成を採用したが、これに限らず、柱状あるいは錐体状の部材を採用してもよい。
【００５８】
また、本実施形態では、補強部３０８は、肉厚の部材で形成された構成を採用したが、これに限らず、ベローズ３０１の材料と異なる材料によって作られた補強部が形成された構成を採用してもよい。
【００５９】
また、本実施形態では位置検出部としてフォトセンサ３１７を採用したが、これに限らず、接触センサを採用してもよい。
【図面の簡単な説明】
【００６０】
【図１】本発明の実施形態の圧力センサを搭載するインクジェット記録装置の構成の一部を示す斜視図である。
【図２】本発明の実施形態のヘッドメンテナンス装置と圧力センサを示す構成図である。
【図３】本発明の実施形態の圧力センサを示す斜視図である。
【符号の説明】
【００６１】
１００  インクジェット記録装置
１０３  被記録媒体搬送手段
１０４  ヘッドメンテナンス装置
１１１  インクタンク（溶液供給手段）
１１２  ヘッド
２０２  キャップ部
２０４  ノズル列
２０６  エアチューブ（大気流路）
２０７  分岐部
２０７ａ  隔壁
２０９  圧力センサ
２１７  ポンプ（吸引手段）
２０８  ソレノイドバルブ（大気弁）
２１９  モーター（吸引手段）
２１４  ソレノイド制御部
２２０  モーター制御部
３０１  ベローズ
３０２  基端部
３０３  先端部
３０９  移動子
３１０  長孔
３１１  ねじれ防止突起
３１５  発光部
３１６  受光部
３１７  フォトセンサ（位置検出部）
３１８  光路
３１９  光軸
３２５  検出回路
Ｐ  用紙（被記録媒体）
【図１】
0005091008.tif 000002
【図２】
0005091008.tif 000003
【図３】
0005091008.tif 000004